【事件の表示】
　特許第５７９１１５９号発明「向上された特殊再生機能のためのシステムおよび方法」の特許異議申立事件について、次のとおり決定する。
【結　論】
　特許第５７９１１５９号の特許請求の範囲を訂正請求書に添付された特許請求の範囲のとおり、訂正後の請求項〔１−１０〕、〔１１−２０〕について、訂正することを認める。
　特許第５７９１１５９号の請求項１ないし２０に係る特許を維持する。
【理　由】
１　手続の経緯
　特許第５７９１１５９号の請求項１〜２０に係る特許についての出願は、２００６年（平成１８年）１２月１２日（パリ条約による優先権主張外国庁受理２００６年２月２８日、米国）を国際出願日とする出願である特願２００８-５５７２２５号の一部を平成２１年１２月１４日に新たな特許出願とした特願２００９−２８３４８９号の一部を、更に平成２５年５月９日に新たに特許出願したものであって、平成２７年８月１４日にその特許権の設定登録がされ、その後、その特許について、特許異議申立人岡本敏夫により特許異議の申立てがされ、平成２８年５月２５日付けで取消理由が通知され、平成２８年８月２９日に意見書の提出及び訂正の請求があり、その訂正の請求に対して特許異議申立人岡本敏夫から平成２８年１０月１１日付けで意見書が提出され、平成２８年１１月１５日付けで取消理由が通知され、平成２９年２月２０日に意見書が提出されたものである。
　　
２　訂正の適否についての判断
（１）訂正の内容
　本件訂正請求による訂正の内容は以下のア、イのとおりである。
　（下線は訂正箇所を示す。）
　　
ア　請求項１〜１０に係る訂正
（ア）訂正事項１
　特許請求の範囲の請求項１において、「前記転送バーに関連付けられたユーザ入力」とあるのを「前記転送バー
上の任意の時点における他の再生位置
　　
（イ）訂正事項２
　特許請求の範囲の請求項１において、「前記現在の再生位置とは異なる再生位置」とあるのを「前記現在の再生位置とは異なる
任意の時点における前記他の
　　
（ウ）訂正事項３
　特許請求の範囲の請求項１において、「前記再生位置」とあるのを「前記
他の
　　
（エ）訂正事項４
　特許請求の範囲の請求項３において、「前記再生位置」とあるのを「前記
他の
　　
（オ）訂正事項５
　特許請求の範囲の請求項６において、「前記現在の再生位置よりも後の再生位置」とあるのを「前記現在の再生位置よりも後の
前記他の
　　
（カ）訂正事項６
　特許請求の範囲の請求項８において、「ストリームをキャッシュすることにより、前記受信されたストリーム内の前記識別された広告をスキップすること」とあるのを「
前記受信されたビデオストリーム内の前記識別された広告をキャッシュしないことによって
ビデオ
ようにストリームをキャッシュする
　　
（キ）訂正事項７
　特許請求の範囲の請求項９において、「前記再生位置」とあるのを「前記
他の
　　
（ク）訂正事項８
　特許請求の範囲の請求項１０において、「前記再生位置」とあるのを「前記
他の
　　
イ　請求項１１〜２０に係る訂正
（ア）訂正事項９
　特許請求の範囲の請求項１１において、「前記転送バーに関連付けられたユーザ入力」とあるのを「前記転送バー
上の任意の時点における他の再生位置
　　
（イ）訂正事項１０
　特許請求の範囲の請求項１１において、「前記現在の再生位置とは異なる再生位置」とあるのを「前記現在の再生位置とは異なる
任意の時点における前記他の
　　
（ウ）訂正事項１１
　特許請求の範囲の請求項１１において、「前記再生位置」とあるのを「前記
他の
　　
（エ）訂正事項１２
　特許請求の範囲の請求項１１において、「前記ビデオの前記現在の再生位置の前記インジケータを格納する手段」とあるのを「前記ビデオの前記現在の再生位置の前記インジケータを
メモリ内に
（オ）訂正事項１３
　特許請求の範囲の請求項１３において、「前記再生位置」とあるのを「前記
他の
（カ）訂正事項１４
　特許請求の範囲の請求項１６において、「前記現在の再生位置よりも後の再生位置」とあるのを「前記現在の再生位置よりも後の
前記他の
（キ）訂正事項１５
　特許請求の範囲の請求項１８において、「ストリームをキャッシュすることにより、前記受信されたストリーム内の前記識別された広告をスキップする手段」とあるのを「
前記受信されたビデオストリーム内の前記識別された広告をキャッシュしないことによって
ビデオ
ようにストリームをキャッシュする
（ク）訂正事項１６
　特許請求の範囲の請求項１９において、「前記再生位置」とあるのを「前記
他の
（ケ）訂正事項１７
　特許請求の範囲の請求項２０において、「前記再生位置」とあるのを「前記
他の
　　
（２）訂正の目的の適否、一群の請求項、新規事項の有無、及び特許請求の範囲の拡張・変更の存否
ア　請求項１〜１０に係る訂正
（ア）訂正事項１
　明細書の発明の詳細な説明の段落【００４２】〜【００４３】には、
「図６は、拡張転送制御バー内の逆方向および順方向バッファの視覚表現の別の例示的ディスプレイを示す。画面６００は、ユーザが視聴している映像６０２および拡張転送制御バー６１０を含む。拡張転送制御バー６１０は、映像の開始時間６１２および終了時間６１４、ユーザのために現在の再生位置を示すカーソル６２０、ならびに逆方向バッファ６３２および順方向バッファ６３４の表現を含む。また、拡張転送制御バー６１０は、逆方向プレビュー画像６２４および順方向プレビュー画像６２８にそれぞれ付随する、逆方向カーソル６２２および順方向カーソル６２６を含む。特に、逆方向プレビュー画像６２４は、逆方向カーソル６２２の位置に対応し、順方向プレビュー画像６２８は、順方向カーソル６２６の位置に対応してもよい。いくつかの実施形態では、ユーザは、特殊再生クライアントに、複数の逆方向および順方向カーソルならびに付随するプレビュー画像を表示させてもよい。
　いくつかの実施形態では、逆方向および順方向カーソルは、特殊再生クライアントが現在キャッシュしている、逆方向および順方向ストリームのフレームに対応してもよい。別様に、逆方向および順方向カーソルは、ユーザの特殊再生要求（例えば、プレビュー画像６２４または６２８の巻き戻しまたは早送り）に対応してもよい。特殊再生クライアントは、プレビュー画像６２４および６２８の一方または両方を自動的に表示してもよく、あるいはユーザは、プレビュー画像の表示を要求してもよい。ユーザが再生を所望するプレビュー画像６２４または６２８内の映像の一部をユーザが識別している場合、ユーザは、フル画面でプレビュー画像表示し、選択されたプレビュー画像の再生部分の映像を再生してもよい。」
と記載され、図６を参酌すると、ユーザの特殊再生要求が巻き戻しカーソルや早送りカーソルに対応すること、特殊再生要求が巻き戻しカーソルまたは早送りカーソルを転送バーに沿った任意の位置にナビゲートするために用いられることが記載されていると認められる。
　したがって、「前記転送バー
上の任意の時点における他の再生位置
　訂正事項１の訂正は、明細書に記載された事項の範囲内において「ユーザ入力」を限定したものといえるから、特許請求の範囲の減縮を目的とするものであって、新規事項の追加に該当せず、また、実質上特許請求の範囲を拡張し、又は変更するものではない。
　　
（イ）訂正事項２、３
　訂正事項２、３は、特許請求の範囲の請求項１における「再生位置」を訂正事項１における「他の再生位置」に整合させることを目的とする。従って、訂正事項２、３は、特許請求の範囲の減縮を目的とするものである。
　また、訂正事項２、３は、訂正事項１と同様に、新規事項の追加に該当せず、さらに、実質上特許請求の範囲を拡張し、又は変更するものではない。
　　
（ウ）訂正事項４
　訂正事項４は、特許請求の範囲の請求項３における「再生位置」を訂正事項１における「他の再生位置」に整合させることを目的とする。従って、訂正事項４は、特許請求の範囲の減縮を目的とするものである。
　また、訂正事項４は、訂正事項１と同様に、新規事項の追加に該当せず、さらに、実質上特許請求の範囲を拡張し、又は変更するものではない。
　　
（エ）訂正事項５
　訂正事項５は、特許請求の範囲の請求項６における「再生位置」を訂正事項１、４における「他の再生位置」に整合させることを目的とする。従って、訂正事項５は、特許請求の範囲の減縮を目的とするものである。
　また、訂正事項５は、訂正事項１、４と同様に、新規事項の追加に該当せず、さらに、実質上特許請求の範囲を拡張し、又は変更するものではない。
　　
（オ）訂正事項６
　訂正事項６は、特許請求の範囲の請求項８において、「ストリームをキャッシュすることにより、前記受信されたストリーム内の前記識別された広告をスキップする」が、どのように広告をスキップするのか明瞭でない記載であるのを、ストリームをキャッシュする際に、「識別された広告をキャッシュしない」ことによって「識別された広告をスキップすること」が達成されることを明確にすることを目的とするものであって、訂正事項６は、明瞭でない記載の釈明を目的とするものである。
　また、訂正事項６は、明細書の発明の詳細な説明の段落【００４４】に記載されており、新規事項の追加に該当せず、さらに、実質上特許請求の範囲を拡張し、又は変更するものではない。
　
（カ）訂正事項７
　訂正事項７は、特許請求の範囲の請求項９における「再生位置」を訂正事項１における「他の再生位置」に整合させることを目的とする。従って、訂正事項７は、特許請求の範囲の減縮を目的とするものである。
　また、訂正事項７は、訂正事項１と同様に、新規事項の追加に該当せず、さらに、実質上特許請求の範囲を拡張し、又は変更するものではない。
　　
（キ）訂正事項８
　訂正事項８は、特許請求の範囲の請求項１０における「再生位置」を訂正事項１における「他の再生位置」に整合させることを目的とする。従って、訂正事項８は、特許請求の範囲の減縮を目的とするものである。
　また、訂正事項８は、訂正事項１と同様に、新規事項の追加に該当せず、さらに、実質上特許請求の範囲を拡張し、又は変更するものではない。
　　
（ク）一群の請求項
　請求項２〜１０は、請求項１を直接又は間接的に引用しているから、請求項１〜１０は一群の請求項である。
　したがって、訂正事項１〜８は、一群の請求項に対して請求されたものである。
　　
イ　請求項１１〜２０に係る訂正
（ア）訂正事項９〜１１
　特許請求の範囲の請求項１に係る発明と請求項１０に係る発明とは、カテゴリーが異なる発明であって、請求項１０に係る訂正である訂正事項９〜１１は、請求項１に係る訂正である訂正事項１〜３に対応する。
　したがって、訂正事項９〜１１は、訂正事項１〜３と同じ理由で、特許請求の範囲の減縮を目的とするものであって、新規事項の追加に該当せず、また、実質上特許請求の範囲を拡張し、又は変更するものではない。
　　
（イ）訂正事項１２
　　訂正事項１２は、特許請求の範囲の請求項１１において、「前記ビデオの前記現在の再生位置の前記インジケータを
メモリ内に
　訂正事項１２は、実質上特許請求の範囲を拡張し、又は変更するものではない。
　訂正事項１２による訂正は、少なくとも、本件特許明細書の段落【００１８】、段落【００３５】〜【００３６】、段落【００３９】〜【００４２】および図２の記載によってサポートされ、新規事項の追加に該当しない。
　　
（ウ）訂正事項１３〜１７
　特許請求の範囲の請求項３、６、８〜１０に係る発明と請求項１３、１６、１８〜２０に係る発明とは、カテゴリーが異なる発明であって、請求項１３に係る訂正である訂正事項１３は、請求項３に係る訂正である訂正事項４に、請求項１６に係る訂正である訂正事項１４は、請求項６に係る訂正である訂正事項５に、請求項１８に係る訂正である訂正事項１５は、請求項８に係る訂正である訂正事項６に、請求項１９に係る訂正である訂正事項１６は、請求項９に係る訂正である訂正事項７に、請求項２０に係る訂正である訂正事項１７は、請求項１０に係る訂正である訂正事項８に、それぞれ対応する。
　したがって、訂正事項１３〜１７は、訂正事項４〜８と同じ理由で、特許請求の範囲の減縮又は明瞭でない記載の釈明を目的とするものであって、新規事項の追加に該当せず、また、実質上特許請求の範囲を拡張し、又は変更するものではない。
　　
（エ）一群の請求項
　請求項１１〜２０は、請求項１１を直接又は間接的に引用しているから、請求項１１〜２０は一群の請求項である。
　したがって、訂正事項９〜１７は、一群の請求項に対して請求されたものである。
　　
（３）小括
　以上のとおりであるから、本件訂正請求による訂正は特許法第１２０条の５第２項第１号及び第３号に掲げる事項を目的とするものであり、かつ、同条第４項、及び、同条第９項において準用する同法第１２６条第４項から第６項までの規定に適合するので、訂正後の請求項１〜２０について訂正を認める。
　　
３　特許異議の申立てについて
（１）本件発明
　本件訂正請求により訂正された訂正請求項１〜２０に係る発明は、その特許請求の範囲の請求項１〜２０に記載された次の事項により特定されるとおりのものである（以下訂正請求項１〜２０に係る発明を「本件発明１」〜「本件発明２０」という。）。
　　
「　【請求項１】
　表示のためのビデオを生成することと、
　前記ビデオと共に表示するための転送バーを生成することであって、前記転送バーは、前記ビデオの現在の再生位置のインジケータを含む、ことと、
　前記転送バー上の任意の時点における他の再生位置に関連付けられたユーザ入力を受信することと、
　前記ビデオの再生の間に前記ユーザ入力を受信したことに応答して、前記転送バーおよび前記現在の再生位置に対応する前記ビデオと共に、前記現在の再生位置とは異なる任意の時点における前記他の再生位置に関連付けられた前記ビデオの画像を表示することであって、前記他の再生位置に関連付けられた前記ビデオの前記画像は、前記現在の再生位置に対応する前記ビデオとは視覚的に区別される、ことと
　を含む、方法。
　　【請求項２】
　前記ビデオの前記画像は、ビデオを含む、請求項１に記載の方法。
　　【請求項３】
　前記画像に関連付けられた前記他の再生位置は、前記現在の再生位置よりも後の再生位置に対応する、請求項１に記載の方法。
　　【請求項４】
　前記現在の再生位置の前に伝送される前記ビデオのコンテンツを含む巻き戻しストリームを受信することと、
　巻き戻しバッファ内に前記受信された巻き戻しストリームをキャッシュすることと、
　表示のために、前記現在の再生位置の前の再生位置に関連付けられた巻き戻しカーソルを生成することと
　をさらに含む、請求項３に記載の方法。
　　【請求項５】
　前記ビデオは、ビデオオンデマンドソースから受信される、請求項１に記載の方法。
　　【請求項６】
　前記現在の再生位置の後に伝送される前記ビデオのコンテンツを含む早送りストリームを受信することと、
　早送りバッファ内に前記受信された早送りストリームをキャッシュすることと、
　表示のために、前記現在の再生位置よりも後の前記他の再生位置に関連付けられた早送りカーソルを生成することと
　をさらに含む、請求項３に記載の方法。
　　【請求項７】
　前記早送りカーソルは、前記キャッシュされた早送りストリームの現在のフレームに関連付けられる、請求項６に記載の方法。
　　【請求項８】
　ビデオストリームを受信することと、
　前記受信されたビデオストリーム内の広告を識別することと、
　前記受信されたビデオストリーム内の前記識別された広告をキャッシュしないことによって前記受信されたビデオストリーム内の前記識別された広告をスキップするようにストリームをキャッシュすることと
　をさらに含む、請求項１に記載の方法。
　　【請求項９】
　前記画像のユーザ選択を受信することと、
　前記ユーザ選択を受信したことに応答して、前記画像に関連付けられた前記他の再生位置から前記ビデオを再生することと
　をさらに含む、請求項１に記載の方法。
　　【請求項１０】
　前記画像のユーザ選択を受信したことに応答して、フル画面で前記画像に関連付けられた前記他の再生位置から前記ビデオを再生することをさらに含む、請求項１に記載の方法。
　　【請求項１１】
　表示のためのビデオを生成する手段と、
　前記ビデオと共に表示するための転送バーを生成する手段であって、前記転送バーは、前記ビデオの現在の再生位置のインジケータを含む、手段と、
　前記転送バー上の任意の時点における他の再生位置に関連付けられたユーザ入力を受信する手段と、
　前記ビデオの再生の間に前記ユーザ入力を受信したことに応答して、前記転送バーおよび前記現在の再生位置に対応する前記ビデオと共に、前記現在の再生位置とは異なる任意の時点における前記他の再生位置に関連付けられた前記ビデオの画像を表示する手段であって、前記他の再生位置に関連付けられた前記ビデオの前記画像は、前記現在の再生位置に対応する前記ビデオとは視覚的に区別される、手段と、
　前記ビデオの前記現在の再生位置の前記インジケータをメモリ内に格納する手段と
　を含む、システム。
　　【請求項１２】
　前記ビデオの前記画像は、ビデオを含む、請求項１１に記載のシステム。
　　【請求項１３】
　前記画像に関連付けられた前記他の再生位置は、前記現在の再生位置よりも後の再生位置に対応する、請求項１１に記載のシステム。
　　【請求項１４】
　前記現在の再生位置の前に伝送される前記ビデオのコンテンツを含む巻き戻しストリームを受信する手段と、
　巻き戻しバッファ内に前記受信された巻き戻しストリームをキャッシュする手段と、
　表示のために、前記現在の再生位置の前の再生位置に関連付けられた巻き戻しカーソルを生成する手段と
　をさらに含む、請求項１３に記載のシステム。
　【請求項１５】
　前記ビデオは、ビデオオンデマンドソースから受信される、請求項１１に記載のシステム。
　【請求項１６】
　前記現在の再生位置の後に伝送される前記ビデオのコンテンツを含む早送りストリームを受信する手段と、
　早送りバッファ内に前記受信された早送りストリームをキャッシュする手段と、
　表示のために、前記現在の再生位置よりも後の前記他の再生位置に関連付けられた早送りカーソルを生成する手段と
　をさらに含む、請求項１３に記載のシステム。
　【請求項１７】
　前記早送りカーソルは、前記キャッシュされた早送りストリームの現在のフレームに関連付けられる、請求項１６に記載のシステム。
　【請求項１８】
　ビデオストリームを受信する手段と、
　前記受信されたビデオストリーム内の広告を識別する手段と、前記受信されたビデオストリーム内の前記識別された広告をキャシュしないことによって前記受信されたビデオストリーム内の前記識別された広告をスキップするようにストリームをキャッシュする手段と
　をさらに含む、請求項１１に記載のシステム。
　【請求項１９】
　前記画像のユーザ選択を受信する手段と、
　前記ユーザ選択を受信したことに応答して、前記画像に関連付けられた前記他の再生位置から前記ビデオを再生する手段と
　をさらに含む、請求項１１に記載のシステム。
　【請求項２０】
　前記画像のユーザ選択を受信したことに応答して、フル画面で前記画像に関連付けられた前記他の再生位置から前記ビデオを再生する手段をさらに含む、請求項１１に記載のシステム。」
　　
　本件発明１を分説すると次のとおりである。
　　
（本件発明１）
「（Ａ）表示のためのビデオを生成することと、
（Ｂ）前記ビデオと共に表示するための転送バーを生成することであって、前記転送バーは、前記ビデオの現在の再生位置のインジケータを含む、ことと、
（Ｃ）前記転送バー上の任意の時点における他の再生位置に関連付けられたユーザ入力を受信することと、
（Ｄ）前記ビデオの再生の間に前記ユーザ入力を受信したことに応答して、前記転送バーおよび前記現在の再生位置に対応する前記ビデオと共に、前記現在の再生位置とは異なる任意の時点における前記他の再生位置に関連付けられた前記ビデオの画像を表示することであって、前記他の再生位置に関連付けられた前記ビデオの前記画像は、前記現在の再生位置に対応する前記ビデオとは視覚的に区別される、ことと
（Ｅ）を含む、方法。」
　　
　ただし、（Ａ）〜（Ｅ）は当審で付与した。以下各構成要件を「構成要件Ａ」等という。
　　
（２）取消理由の概要
　本件特許１〜３、５、８〜１０、１１〜１３、１５、１８〜２０に対して平成２８年１１月１５日付けで特許権者に通知した取消理由の要旨は、次のとおりである。
　本件特許１〜３、５、８〜１０、１１〜１３、１５、１８〜２０は、甲第２号証に記載された発明、甲第４号証に記載された発明及び甲第５号証に記載された発明に基づき、容易に発明をすることができたものであるから、特許法第２９条第２項の規定により特許を受けることができないものであり、本件特許１〜３、５、８〜１０、１１〜１３、１５、１８〜２０は、取り消されるべきものである。
（３）甲号証の記載
ア　甲第２号証
（ア）甲第２号証の記載
　甲第２号証（特開２００５−１０１９９４号公報）には、「データ再生装置およびデータ再生方法」（発明の名称）に関し、図面と共に次に掲げる事項が記載されている（下線は当審が付与した。）。
　　
「【０００１】
　本発明は、データ再生装置およびデータ再生方法に関し、特に、
映像
のようなコンテンツを含むデータのデータ再生
　　
「【０００４】
　ここには以下のような問題点がある。
　ユーザは、シーンジャンプや頭出しを行う際、再生を開始したい位置へポインタがゆっくりと移動してくるまで、十字ボタン又はスティックを長々と押し続けて待たなければならない。すなわち、軽快に動作すべきデジタルＡＶ機器の操作性が著しく損なわれる。
　これを改善するために、十字ボタン又はスティックを操作する時間に応じてポインタの移動速度を加速させるようにすると、待ち時間は短縮されるが、ユーザが希望する再生位置にポインタを停止させずらくなる。すなわち、かえって操作性が更に損なわれることになる。
　パソコンで使用されているマウスやトラックボールのようなポインティングデバイスを使用し、タイムバーの任意の位置をユーザに指示してもらう方法も可能である。しかし、ポインティングデバイスの設置面積や設置環境の制限、操作性の問題から、これらをリモコンに代わってデジタルＡＶ機器で採用するのは難しい。」
　　
「【０００９】
　従って、本発明の目的は、コンテンツの再生開始位置の指示操作の自由度を減らすことなく、簡単な操作で再生開始位置を指示できるデータ再生装置およびデータ再生方法を提供することである。」
　　
「【００４７】
　まず、本発明のデータ再生装置を適用したデジタルビデオ再生装置の実施の形態の構成について、添付図面を参照して説明する。
　図１は、本発明のデジタルビデオ再生装置の実施の形態の構成を示すブロック図である。デジタルビデオ再生装置１は、ＨＤＤやＤＶＤに画像を録画し、録画された画像を再生するデジタルＡＶ機器である。付属のリモコン３により動作を指示することが可能である。デジタルビデオ再生装置１は、ソフトウエアとしての録画部２１、再生部２２、分割部２３を具備する。そして、各種のディスプレイ（例示：プラズマディスプレイ、液晶ディスプレイ、ＣＲＴディスプレイ：テレビジョン受像機になっているものを含む）に例示される表示装置２に接続されている。デジタルビデオ再生装置１から出力される
映像データは、表示装置
の表示画面に表示される
【００４８】
　録画部２１は、外部入力端子から入力されるデータについて、所定の処理（例示：ＭＰＥＧに関する画像処理及び音声処理）の実行後に、内蔵するＨＤＤやＤＶＤ駆動部にセットされたＤＶＤに映像データとして格納する。あるいは、内蔵するＤＶＤ駆動部で操作されるＤＶＤを、所定の処理の実行後に、内蔵するＨＤＤに格納する。
　再生部２２は、ＨＤＤやＤＶＤ駆動部のＤＶＤに格納された映像データを所定の処理（例示：ＭＰＥＧに関する画像処理及び音声処理）の実行後に、表示用映像データとして表示装置２へ出力する。
　分割部２３は、リモコンからの指示に基づいて、
タイムバー
に関するデータとしてのタイムバーデータを生成し
表示用映像データにタイムバーデータを含ませて表示装置
へ出力する
タイムバーデータは、タイムバーとして表示装置
の表示画面に表示される
　　
「【００５３】
　図４は、
表示装置の画面上に表示されるタイムバー
タイムバー
は
ポインタアイコン
再生位置アイコン
を含む
表示装置
の表示画面
で再生される動画（映像データ）
（ａ）タイムバー本体１１は、一方の端（図中、左端）が現在再生されている動画の開始点を示し、他方の端（図中、右端）が動画の終了点を示す。すなわち、タイムバー本体１１は、その動画の全表示時間を示す。
（ｂ）
再生位置アイコン
は、現在再生中の動画の再生位置を示す
（ｃ）タイムバー本体１１には、任意の分割数で等間隔に分割線１２が割り当てられている。分割線１２の各位置は、その動画の全表示時間をその分割数で分割したときの各時間に対応する。
（ｄ）タイムバー本体１１の分割数は、例えばリモコンの上下ボタン操作により、ユーザが任意に増減させることが出来る。
（ｅ）タイムバー本体１１には、シーンジャンプ先を指示するポインタアイコン１３が表示されている。ポインタアイコン１３は、タイムバー本体１１の分割線１２上における任意の一つの位置を指示する。
（ｆ）
ポインタアイコン
は
リモコンの左右ボタン操作により、ユーザがタイムバー本体１１上の分割線
を飛び飛びに移動させることが出来る
（ｇ）ユーザは、任意の分割線１２までポインタアイコン１３を移動させる。そして、例えばリモコンの決定ボタン操作により、任意の分割線１２を指定する。それにより、簡単にシーンジャンプ先を決定する（その分割線１２に対応する動画の位置へジャンプする）ことが出来る。
（ｈ）小画面１６は、ポインタアイコン１３の位置の映像を表示し、内容を確認できるようにする。
　【００５４】
　タイムバーは、映像データに含まれる時間データに基づいて生成される。
　タイムバー本体１１は、一つの映像データにおける全体を再生する時間（再生時間）を示す。例えば、１２０分の映像データであれば、タイムバー本体１１は、一方の端から他方の端までで１２０分の映像データを示している。その場合、先頭の映像データと最後の映像データとに含まれる時間データに基づいて１２０分であると決定する。
　再生位置アイコン１４は、タイムバー本体１１における現在再生中の位置を示す。前述の例では、時間データを参照すると現在再生中の位置が開始から３６分目であるとすれば、タイムバー本体１１の１２０分と現在位置３６分とに基づいて、右端から３／１０の位置に表示される。
　分割線１２は、予め設定された分割数に基づいて、タイムバー本体１１を分割した位置に表示される。予め設定された分割数は、分割部２３にプログラムされているか、又は、ＨＤＤ７に書き換え可能に格納されている。前述の例では、例えば８分割が選択された場合、各分割線１２は、０分（左端）、１５分（１本目）、３０分（２本目）、４５分（３本目）、６０分（４本目）、７５分（５本目）、９０分（６本目）、１０５分（７本目）、１２０分（右端）となる。
　ポインタアイコン１３は、分割線１２のうちの再生位置アイコン１４に最も近い位置に表示される。前述の例では、現在再生中の動画の位置が３６分で８分割が選択された場合、２本目の位置にポインタアイコン１３が表示される。そして、４本目の分割線が選択された場合、タイムバー本体１１の時間的長さ（１２０分）と分割線１２の数（８本）と、ポインタアイコン１３のある分割線１２の位置（４番目）に基づいて、右端から１２０分×４／８＝６０分の時間データを有する位置の動画が選択される。
格納されている一連のファイルデータの大きさに基づいて生成される。ポインタアイコン１３は、この形に限定されるものではなく、例えば、分割線１２の色を変えて表示するポインタアイコン１３’のようにしても良い。その場合、ポインタアイコン１３’が遮る画面の領域が少なくてすむ。
　
小画面
は、ポインタアイコン
の近傍に表示され、ポインタアイコン
の位置に対応する映像を表示する小さな画面である
【００５５】
　図５は、表示装置の画面上に表示されるタイムバーにおける分割数の増減操作を示す図である。
　一番下の表示画面２０−１において、動画が再生されているが、タイムバーは、表示されていない。
　そこで、ユーザが、リモコン３の上方向キー３２ａを押すとタイムバーが表示される（図５中、下から２番目の表示画面２０−２）。この段階では、タイムバー本体１１及び再生位置アイコン１４のみが表示され、分割線１２、及びポインタアイコン１３は表示されない。
　続いて、もう一度リモコン３の上方向キー３２ａを押すと、タイムバー本体１１及び再生位置アイコン１４に加えて、分割線１２及びポインタアイコン１３が表示される（図５中、下から２番目の表示画面２０−３）。この場合、タイムバー本体１１を４分割した分割線１２が表示される。ポインタアイコン１３は、再生位置アイコン１４から一番近い位置に表示される。このとき、小画面１６を表示する設定にしていれば、インタアイコン１３の近傍に小画面１６も同時に表示される。
　更に、もう一度リモコン３の上方向キー３２ａを押すと、タイムバー本体１１を８分割した分割線１２が表示される（図５中、下から２番目の表示画面２０−４）。このようにして、例えば、タイムバー本体１１を最大３２分割した分割線１２まで用意すれば、上方向キー３２ａを押すことで、「表示なし→４分割→８分割→１６分割→３２分割」と分割を変更することが出来る。
　上記とは逆に、下方向キー３２ｂを押すと、分割線１２の数を「３２分割→１６分割→８分割→４分割→表示なし」と変更することが出来る。
　分割数の決定は、決定キー３４を押すことで行う。決定後にまた変更したい場合には、再び、上方向キー３２ａや下方向キー３２ｂを押す。
【００５６】
　図６は、表示装置の画面上に表示されるタイムバーにおけるシーンジャンプの操作を示す図である。ここでは、表示画面２０において、分割数が８のタイムバーが表示されている。
　ユーザが、リモコンの右方向キー３３ａを一度押すと、図中のａ１で示すように、ポインタアイコン１３は、最初の位置から一つだけ右の分割線１２上へジャンプ（移動）する。もう一度右方向キー３３ａを押すと、図中のａ２で示すように、ポインタアイコン１３は、更に一つだけ右の分割線１２上へジャンプ（移動）する。同様に、ユーザが、リモコンの左方向キー３３ｂを一度押すと、図中のｂ１で示すように、ポインタアイコン１３は、最初の位置から一つだけ左の分割線１２上へジャンプ（移動）する。もう一度左方向キー３３ｂを押すと、図中のｂ２で示すように、ポインタアイコン１３は、更に一つだけ左の分割線１２上へジャンプ（移動）する。
　このとき、図示していないが、小画面１６も同時に移動してもよいし、表示画面２０の一定の位置にあり、ポインタアイコン１３の位置に応じて表示内容だけ変更しても良い。
　分割線１２のない位置へ移動することは出来ない。ポインタアイコン１３による位置の決定は、決定キー３４を押すことで行う。それにより、ポインタアイコン１３が指し示す位置にシーンジャンプ（移動）し、その位置から動画を再生し始める。
【００５７】
　次に、本発明のデータ再生装置を適用したデジタルビデオ再生装置の実施の形態の動作（本発明のデータ再生方法を適用したデジタルビデオ再生方法）について、添付図面を参照して説明する。
　図７は、本発明のデジタルビデオ再生装置の実施の形態の動作を示すフロー図である。
（１）ステップＳ１：ユーザが、直接又はリモコンでデジタルビデオ再生装置１（再生部２２）を操作し、
表示装置
の表示画面
に動画を表示する
（２）ステップＳ２：リモコン３は、ユーザにより、タイムバーを表示する操作を受ける。例えば、上方向キー３２ａを押す操作を受ける。
（３）ステップＳ３：リモコン３は、デジタルビデオ再生装置１へ上方向キー信号を出力する。
（４）ステップＳ４：デジタルビデオ再生装置１の分割部２３は、先頭の映像データと最後の映像データとに含まれる時間データに基づいてタイムバー本体１１を生成する。同時に、現在再生中の動画の時間データを参照して、現在再生中の動画の位置としての現在位置アイコン１４を生成する。そして、再生部２２は、タイムバー本体１１及び現在位置アイコン１４を含めて表示画面２０に動画を表示する。
（５）ステップＳ５：リモコン３は、ユーザにより、分割数１２を表示／変更する操作を受ける。例えば、上方向キー３２ａ／下方向キー３２ｂを押す操作を受ける。
（６）ステップＳ６：リモコン３は、デジタルビデオ再生装置１へ上方向キー信号／下方向キー信号を出力する。
（７）ステップＳ７：デジタルビデオ再生装置１の分割部２３は、上方向キー信号／下方向キー信号に対応して予め設定された分割数（図５を参照）を読み出し、タイムバー本体１１に対応させて分割線１２を生成する。同時に、現在再生中の動画の位置に最も近い分割線１２の位置に、ポインタアイコン１３を生成する。そして、再生部２２は、分割線１２、ポインタアイコン１３、タイムバー本体１１及び現在位置アイコン１４を含めて表示画面２０に動画を表示する。
　ユーザの操作により、ステップＳ５〜Ｓ７は繰り返される。
（８）ステップＳ８：リモコン３は、ユーザにより、分割数を決定する操作を受ける。例えば、決定キー３４を押す操作を受ける。
（９）ステップＳ９：リモコン３は、デジタルビデオ再生装置１へ決定キー信号を出力する。
（１０）ステップＳ１０：分割部２３は、分割数を決定し、分割線１２を固定する。再生部２２は、固定された分割線１２、ポインタアイコン１３、タイムバー本体１１及び現在位置アイコン１４を含めて表示画面２０に動画を表示している。
（１１）ステップＳ１１：
リモコン
は、ユーザにより、ポインタアイコンで、移動（シーンジャンプ）する位置を指定す操作を受ける
（１２）ステップＳ１２：リモコン３は、デジタルビデオ再生装置１へ右方向キー信号／左方向キー信号を出力する。
（１３）ステップＳ１３：分割部２３は、ポインタアイコン２３の位置を変更する。再生部２２は、変更された
ポインタアイコン
、分割線
、タイムバー本体
及び現在位置アイコン
を含めて表示画面
に動画を表示
　ユーザの操作により、ステップＳ１１〜Ｓ１３は繰り返される。
（１４）ステップＳ１４：リモコン３は、ユーザにより、ポインタアイコン２３の位置を決定する操作を受ける。例えば、決定キー３４を押す操作を受ける。
（１５）ステップＳ１５：リモコン３は、デジタルビデオ再生装置１へ決定キー信号を出力する。
（１６）ステップＳ１６：分割部２３は、ポインタアイコン２３の位置の決定により、移動（シーンジャンプ）する位置を決定する。すなわち、ポインタアイコン２３のある分割線１２の位置と、分割線１２の数と、タイムバー本体１１の時間的な長さとに基づいて、移動（シーンジャンプ）する位置としての時間データを決定する。
（１７）ステップＳ１７：再生部２３は、移動（シーンジャンプ）する位置としての時間データを有する位置を確定する。そして、表示画面２０に、その位置の動画から再生する。
【００５８】
　再生する動画がＭＰＥＧデータの場合、再生位置がシステム（プログラム）クロックリファレンスの位置に対応していない場合には、若干の時間（０．５秒以内）だけ表示される動画が乱れる場合がある。それに対処するためには、動画を再生する前に以下のようなタイムテーブルを生成しておく。
【００５９】
　図８は、タイムテーブルの一例を示す表である。タイムテーブル４０は、基準時間４１とアドレス４２と画像データ４３とを関連付けている。ここで、基準時間４１は、上述の時間データに対応し、ＭＰＥＧデータにおけるシステム（プログラム）クロックリファレンスである。全ての動画のフレームに存在するのではなく、概ね０.５秒以下ごとのフレームに割り当てられている。ここでは、時間：分：秒：百分の１秒、で示している。アドレス４２は、基準時間４２に対応する各動画のデータが格納されているＨＤＤやＤＶＤ上の位置を示す。画像データ４３は、再生する動画のうちの基準時間４１の位置の一フレームの画像データである。数秒程度の動画を示す画像データ（フレームを間引きしているものを含む）でも良い。
【００６０】
　上記の動作におけるステップＳ１の際、動画を再生する直前に、動画の映像データを走査し、図８のようなテーブルを作成し、例えばＲＡＭ５に格納しておく。
　そして、ステップＳ１３において、まず、ポインタアイコン１３の操作に応じて、ポインタアイコン１３の位置に対応する基準時間４１を計算する。次に、タイムテーブル４０から基準時間４１に対応する画像データ４３を取り出す。そして、タイムバーデータにその画像データ４３を載せて出力する。そうすることで、タイムバー１５に小画面１６を表示することができる。
　加えて、ステップＳ１７において、移動（シーンジャンプ）する位置を決定するために使用する時間データとして、図８の基準時間４１を用いる。時間データの位置を基準時間４１の中から確定した後、対応するアドレス４２の位置の動画から表示画面２０で再生する。例えば、図８の場合、シーンジャンプする位置が３／８の位置とすると、基準時間４１として、００：４５：００：００（＝（０２：００：００：００−００：００：００：００）×３／８）に最も近いものを選択する。そして、移動（シーンジャンプ）する位置は、対応するアドレス４２となる。」
　　
「【００６４】
　本発明により、シーンジャンプを行うときの、ジャンプ先を指定する速度を向上することが可能となる。従来のシーンジャンプ先指定方法では、ジャンプ先ポインタアイコンが滑らかに移動するため、ジャンプした居場所にアイコンが移動していくまでの長い間、リモコンのボタンを押し続けねばならなかった。本発明の方式では、分割線ごとにポインタアイコンが移動するため、すばやいジャンプ位置の指定が可能となる。」
　　
「【００６６】
　本発明により、ジャンプ先位置の指定精度を可変にすることができる。本発明では、ジャンプ先として分割線のみを指定する。それにより、大きく分割して、再生位置を大雑把に指定することや、小さく分割して再生位置を細かく指定することを容易に実行することが可能である。」
　　
「【００６８】
　本発明により、ポインタアイコン移動時の画面表示を書き換える処理を軽減することができる。従来のジャンプ先指定方法では、タイムバー上をジャンプ先ポインタアイコンが滑らかに移動するため、必然的にポインタアイコンの再描画が多発する。そのため、画面表示を書き換える回数が非常に多くなる。本発明の方法では、ポインタアイコンを分割線の指定に用いるため、タイムバー上を滑らかに移動する必要が無い。結果として画面表示を書き換える回数が減り、処理が軽減される。」
　　
「【００８２】
　図１２は、タイムバーを備える静止画表示装置である。静止画表示装置７０は、電子データの複数の静止画を連続して表示する、いわゆるスライドショーを行う。ＰＤＡ（Ｐｅｒｓｏｎａｌ　Ｄｉｇｉｔａｌ　Ａｓｓｉｓｔａｎｔ）や静止画表示機能のついたＡＶ機器に例示される。
【００８３】
　
静止画表示装置
は
小画面
には、ジャンプ先の静止画が表示される。動画の場合のような時間データではなく、例えば静止画の枚数を示すデータを用いるほかは、動作は上述の通りなのでその説明を省略する
　　
「【図４】
」
　　
「【図１２】
」
　　
（イ）甲第２号証に記載された発明
　甲第２号証には、データ再生方法が記載され、以下の構成を含む。
　段落【０００１】、【００４７】によると、『映像データを再生して表示する』。
　段落【００４８】、【００５３】、図４によると、『タイムバーデータを生成し、表示用映像データにタイムバーデータを含ませて表示装置へ出力して、動画と共に表示画面にタイムバーを表示することであって、タイムバーは、現在再生中の動画の再生位置を示す再生位置アイコンを含む』。
　段落【００５３】によると、『タイムバーに含まれるポインタアイコンを移動させるリモコンの左右ボタン操作で、任意の分割線までポインタアイコンを移動させる』。
　段落【００５４】、【００５７】、【００８３】、図４、図１２によると、『表示画面に動画を表示して、リモコンは、ユーザによりポインタアイコンの移動位置を指定する操作を受けると、タイムバー本体および現在位置アイコンの再生位置に対応する動画と共に、現在位置アイコンの再生位置とは異なるポインタアイコンの位置に対応する映像の小画面を表示することであって、小画面は、現在位置アイコンの再生位置に対応して表示画面に表示される動画とは表示位置及び表示サイズが異なる』。
　　
　以上より、甲第２号証には次の発明が記載されていると認められる。以下この発明を甲２発明という。
　　
（甲２発明）
（２ａ）映像データを再生して表示し、
（２ｂ）タイムバーデータを生成し、表示用映像データにタイムバーデータを含ませて表示装置へ出力して、動画と共に表示画面にタイムバーを表示することであって、タイムバーは、現在再生中の動画の再生位置を示す再生位置アイコンを含み、
（２ｃ）タイムバーに含まれるポインタアイコンを移動させるリモコンの左右ボタン操作で、任意の分割線までポインタアイコンを移動させ、
（２ｄ）表示画面に動画を表示して、リモコンは、ユーザによりポインタアイコンの移動位置を指定する操作を受けると、タイムバー本体および現在位置アイコンの再生位置に対応する動画と共に、現在位置アイコンの再生位置とは異なるポインタアイコンの位置に対応する映像の小画面を表示することであって、小画面は、現在位置アイコンの再生位置に対応して表示画面に表示される動画とは表示位置及び表示サイズが異なる、
（２ｅ）方法。
　　
（（２ａ）〜（２ｅ）は、甲２発明の構成を区別するために付与した。以下各構成を「構成２ａ」等という。）
　　
イ　甲第４号証
　甲第４号証（特開２００５−３３５３４号公報）には、「録画装置」（発明の名称）に関し、図面と共に次に掲げる事項が記載されている（下線は当審が付与した。）。
　　
「【０１１３】
　これらの録画機１１２、録画機１１３、録画機１１４、録画機１１５は、例えば放送局１１０から
放送された番組を受信し、その番組を録画する
【０１１４】
　この放送も、例えば図１では衛星放送を想定して描いているが、必ずしも衛星放送に限るものではなく、地上放送でも構わないし、アナログ放送でもデジタル放送でも構わない。
（略）
【０１１６】
　又、例えばＣＡＴＶ放送等であっても構わないし、インターネットを経由して配信されるような、放送であっても構わないし、その他各種ネットワークを使って放送或いは配信されるものであっても構わないし、
オンデマンド方式（ＶＯＤ）で配信されるような、放送
　
　上記記載によると、甲第４号証には、『オンデマンド方式で配信される放送を受信して録画する』技術が記載されている。
　　
ウ　甲第５号証
　甲第５号証（特開平１１−１８５３１７号公報）には、「ディジタルデータ記録再生方法および装置、ディジタルデータ記録方法および装置、ディジタルデータ再生方法および装置」（発明の名称）に関し、図面と共に次に掲げる事項が記載されている。
　　
「【００５６】［２］放送受信時にコマーシャル部分を特定してスキップ記録する方式
　次に、放送番組の記録時にコマーシャル部分をスキップして記録することによって、コマーシャルスキップを実現する方式について説明する。
【００５７】図３は、キュー情報を用いて、ディジタル放送のトランスポートストリームに挿入されたコマーシャル部分をスキップして記録する動作を示している。
【００５８】受信手段は、放送番組を受信してその全内容をモニタし、キュー情報１０２を抽出することによりイン点およびアウト点を調べる。そして、イン点からアウト点までのコマーシャル部分ＣＭでは、記録装置の記録動作を停止してコマーシャル部分ＣＭが記録媒体に記録されないように制御される。
【００５９】この手法によれば、記録媒体にはコマーシャル部分ＣＭが記録されずに本放送部分Ａ、および本放送部分Ａ’のみが続けて記録されるため、再生時に特別な動作を行う必要がなく、図３（ｃ）のような再生データが得られる。これにより、通常の再生動作によってコマーシャルスキップが実現される。
【００６０】図４は、上述したコマーシャルスキップ方式を実現するためのディジタルデータ記録再生装置の構成例を示している。
【００６１】放送局から送られて受信回路３０で受信された受信ストリームは、ＶＴＲ装置などのテープドライブ３１に供給されると共に、キュー情報検出回路３２にも供給される。キュー情報検出回路３２は、受信ストリーム中のキュー情報を検出し、検出されたキュー情報からコマーシャル部分のイン点とアウト点を調べ、そのコマーシャル部分をスキップして記録するように、記録制御信号によりテープドライブ３１の動作が制御される。このような制御方法として、最も単純には検出されたイン点とアウト点の間だけ記録動作を停止するようにすればよい。
【００６２】（略）
【００６３】 これにより、磁気テープ３５には、コマーシャル部分ＣＭが記録されずに本放送部分Ａ、および本放送部分Ａ’のみが続けて記録されるため、通常の連続的な再生動作によってコマーシャルスキップが実現される。
【００６４】このように、ディジタル放送のストリームを受信しながら、そのストリームに含まれるキュー情報を検出し、検出されたキュー情報からコマーシャルのイン点アウト点を調べることにより、コマーシャルの部分をスキップして記録媒体に記録するようにすることができる。」
　　
　上記記載によると、甲第５号証には、『コマーシャルをスキップして放送番組を記録する』技術が記載されている。
　　
（４）対比・判断
ア　対比
　本件発明１と甲２発明とを対比する。
　　
（ア）構成要件Ａと構成２ａとを対比する。
　甲２発明は、「映像データを再生して表示」するから、「表示のためのビデオを生成する」ことは明らかである。
　したがって、本件発明１と甲２発明とは、「表示のためのビデオを生成する」ことで一致する。
　　
（イ）構成要件Ｂと構成２ｂとを対比する。
　甲２発明の「タイムバー」は、本件発明１の「転送バー」に相当し、甲２発明の「現在再生中の動画の再生位置を示す再生位置アイコン」は、本件発明１の「前記ビデオの現在の再生位置のインジケータ」に相当する。
　甲２発明の「タイムバー」は、「動画」とともに表示される。
　したがって、本件発明１と甲２発明とは、「前記ビデオと共に表示するための転送バーを生成することであって、前記転送バーは、前記ビデオの現在の再生位置のインジケータを含む」ことで一致する。
　　
（ウ）構成要件Ｃと構成２ｃ、２ｄとを対比する。
　甲２発明は、「タイムバーに含まれるポインタアイコンを移動させるリモコンの左右ボタン操作で、任意の分割線までポインタアイコンを移動させ、」「リモコンは、ユーザによりポインタアイコンの移動位置を指定する操作を受ける」から、「前記転送バー上の他の再生位置に関連付けられたユーザ入力を受信する」ことで、本件発明１と共通する。
　しかしながら、「他の再生位置」が、本件発明１においては「任意の時点における再生位置」であるのに対し、甲２発明においては、「任意の時点における再生位置」ではなく、任意の分割線における再生位置である点で相違する。
　　
（エ）構成要件Ｄと構成２ｄとを対比する。
　甲２発明の「表示画面に動画を表示して、リモコンは、ユーザによりポインタアイコンの移動位置を指定する操作を受けると、タイムバー本体および現在位置アイコンの再生位置に対応する動画と共に、現在位置アイコンの再生位置とは異なるポインタアイコンの位置に対応する映像の小画面を表示すること」は、「前記ビデオの再生の間に前記ユーザ入力を受信したことに応答して、前記転送バーおよび前記現在の再生位置に対応する前記ビデオと共に、前記現在の再生位置とは異なる他の再生位置に関連付けられた前記ビデオの画像を表示する」ことといえる。
　しかしながら、「他の再生位置」が、本件発明１においては、「任意の時点における」他の再生位置であるのに対し、甲２発明においては、「任意の時点における」他の再生位置ではなく、「任意の分割線における」他の再生位置である点で相違する。この相違点は、上記（ウ）の相違と同じである。
　また、甲２発明の「小画面は、現在位置アイコンの再生位置に対応して表示画面に表示される動画とは表示位置及び表示サイズが異なる」ことは、「前記他の再生位置に関連付けられた前記ビデオの前記画像は、前記現在の再生位置に対応する前記ビデオとは視覚的に区別される」ことといえる。
　したがって、本件発明１と甲２発明とは、「前記ビデオの再生の間に前記ユーザ入力を受信したことに応答して、前記転送バーおよび前記現在の再生位置に対応する前記ビデオと共に、前記現在の再生位置とは異なる前記他の再生位置に関連付けられた前記ビデオの画像を表示することであって、前記他の再生位置に関連付けられた前記ビデオの前記画像は、前記現在の再生位置に対応する前記ビデオとは視覚的に区別される」ことで共通する。
　しかしながら、「前記他の再生位置」が相違する点は、上記（ウ）のとおりである。
　　
（オ）構成要件Ｅと構成２ｅとは、「方法」として一致する。
　　
（カ）以上まとめると、本件発明１と甲２発明との一致点、相違点は次のとおりである。
　　
（一致点）
　表示のためのビデオを生成することと、
　前記ビデオと共に表示するための転送バーを生成することであって、前記転送バーは、前記ビデオの現在の再生位置のインジケータを含む、ことと、
　前記転送バー上の他の再生位置に関連付けられたユーザ入力を受信することと、
　前記ビデオの再生の間に前記ユーザ入力を受信したことに応答して、前記転送バーおよび前記現在の再生位置に対応する前記ビデオと共に、前記現在の再生位置とは異なる前記他の再生位置に関連付けられた前記ビデオの画像を表示することであって、前記他の再生位置に関連付けられた前記ビデオの前記画像は、前記現在の再生位置に対応する前記ビデオとは視覚的に区別される、ことと
　を含む、方法。
　　
（相違点）
　「他の再生位置」が、本件発明１においては「任意の時点における再生位置」であるのに対し、甲２発明においては、「任意の時点における再生位置」ではなく、任意の分割線における再生位置である点
　　
イ　判断
　甲２発明の「任意の分割線における再生位置」を、「任意の時点における再生位置」にすることができるか検討する。
　甲第２号証の段落【００５３】には、「（ｄ）タイムバー本体１１の分割数は、例えばリモコンの上下ボタン操作により、ユーザが任意に増減させることが出来る。」と記載され、段落【００６６】には、「本発明により、ジャンプ先位置の指定精度を可変にすることができる。本発明では、ジャンプ先として分割線のみを指定する。それにより、大きく分割して、再生位置を大雑把に指定することや、小さく分割して再生位置を細かく指定することを容易に実行することが可能である。」と記載されていることを考慮すると、分割線を増やすこと、すなわち、分割数を多くすることは想定され、非常に多くすることも想定される。
　しかしながら、甲２発明の「任意の分割線における再生位置」を、「任意の時点における再生位置」にすることは、困難であると認められる。その理由は次のとおりである。
　　
　甲第２号証の段落【００６４】には、「従来のシーンジャンプ先指定方法では、ジャンプ先ポインタアイコンが滑らかに移動するため、ジャンプした居場所にアイコンが移動していくまでの長い間、リモコンのボタンを押し続けねばならなかった。本発明の方式では、分割線ごとにポインタアイコンが移動するため、すばやいジャンプ位置の指定が可能となる。」と記載され、段落【００６８】には、「従来のジャンプ先指定方法では、タイムバー上をジャンプ先ポインタアイコンが滑らかに移動するため、必然的にポインタアイコンの再描画が多発する。そのため、画面表示を書き換える回数が非常に多くなる。本発明の方法では、ポインタアイコンを分割線の指定に用いるため、タイムバー上を滑らかに移動する必要が無い。結果として画面表示を書き換える回数が減り、処理が軽減される。」と記載されており、甲２発明は、ジャンプ先ポインタアイコンが滑らかに移動する、すなわち、分割線ごとではなく無段階に移動する、従来のものから、ジャンプ先ポインタアイコンが分割線毎に移動するようにするものである。
　したがって、無段階に移動可能であった従来の技術において、すばやいジャンプ位置を指定可能にするために、分割線ごとの移動を可能にした甲２発明を、従来の技術のように無段階に移動可能にする動機付けは、甲第２号証には開示されていない。
　また、甲第４号証、甲第５号証に記載された技術をみても、甲２発明における「任意の分割線における再生位置」を「任意の時点における再生位置」にする動機付けはない。
　　
　以上のとおりであるから、本件発明１は、甲２発明に基づいて、当業者が容易になし得るものではない。
　　
　本件発明２〜３、５、８〜１０は、請求項１の記載を直接又は間接的に引用するから、本件発明１と同じ理由で、甲２発明に基づいて、当業者が容易になし得るものではない。
　　
　本件発明１１は、本件発明１とカテゴリーが異なる発明であるから、本件発明１と同様な理由で、甲２発明に基づいて、当業者が容易になし得るものではない。
　　
　本件発明１２〜１３、１５、１８〜２０は、請求項１１の記載を直接又は間接的に引用するから、本件発明１１と同じ理由で、甲２発明に基づいて、当業者が容易になし得るものではない。
　　
（５）特許異議申立理由について
　特許異議申立人は、本件発明１〜７、９、１０は、甲第１号証に記載された発明であり、本件発明５は、甲第１号証に記載された発明と甲第３号証に記載された発明に基づいて当業者が容易になし得、本件発明８は、甲第１号証に記載された発明と甲第５号証に記載された発明に基づいて当業者が容易になし得、本件発明１１〜２０は、本件発明１〜１０とカテゴリが異なる発明であるから、本件発明１〜１０と同様であると主張し、
　特許異議申立人は、本件発明１〜４、６、７、９、１０は、甲第２号証に記載された発明であり、本件発明５は、甲第２号証に記載された発明及び甲第４号証に記載された発明に基づいて当業者が容易になし得、本件発明８は、甲第２号証に記載された発明及び甲第５号証に記載された発明に基づいて当業者が容易になし得、本件発明１１〜２０は、本件発明１〜１０とカテゴリが異なる発明であるから、本件発明１〜１０と同様であると主張し、
　特許異議申立人は、請求項１〜１１について明確性要件を満たさず、請求項４、８、１１については、サポート要件・実施可能要件を満たさず、請求項１２〜２０は、実質的に請求項２〜１０と同一なので、請求項２〜１０と同様な記載不備があると主張する。
　　
　それぞれについて以下検討する。
　　
ア　甲第１号証に記載された発明に基づく新規性、進歩性の欠如
（ア）甲号証の記載
（ア−１）甲第１号証
（ア−１−１）甲第１号証の記載
　甲第１号証（特開２００２−１８５９１７号公報）には、「ビデオデータを提供する方法およびビデオインデックス付けのためのデバイス」（発明の名称）に関し、図面と共に次に掲げる事項が記載されている（下線は当審が付与した。）。
　　
「【要約】
【課題】　ビデオあるいは他のデータストリームの位置にアクセスし、探すことを目的とする。
【解決手段】　
ジャンプすることができる位置を示すタイムライン
ユーザがタイムラインの位置を選択する
　　
「【００２８】ビデオストリーム３１５の現在のプレイバック位置の後のポイントでビデオインデックス付けを実行するために、デバイス３２０は、ビデオストリーム３１５のルックアヘッドデータの送信のために第２の接続３１０を開く。デバイス３２０は、要約されるルックアヘッドデータ３１５を受信し、キーフレームは、本発明による表示を行い、ビデオストリーム３１５の現在のプレイバック位置の前後のポイントにインデックスビデオを有するためにデバイス３２０によって選択され、利用される。
プレイバックされるビデオ
表示される
　　
「【００３０】図４は、コマンド３２５によって呼び出され、デバイス３２０で実行するビデオアプリケーションによって
ディスプレイデバイス３３０に表示されたビデオ
ビデオのプレイバック中
ビデオ４００は
再生されるビデオデータストリームの現在のプレイバック位置を表示する
スライドバー４１５は
現在のプレイバック位置のユーザ制御およびユーザ移動を可能にする
スライドバー４１５は、ビデオにおける他のポイントと一致しているビデオの近似位置を示すタイミングマークを有するタイムライン
とともに表示される
【００３１】
　黒くされた部分４２０は、ビデオの現在のプレイバック位置に非常に接近してビデオ内のフレームあるいは位置のセットを示す。
黒くされた部分４２０は、現在のビデオプレイバック位置を示すより正確なポイント４２５のインジケータを含む
【００３２】
スナップ画像１４４０、１４４５、１４５０、および１４６０は
現在のプレイバック位置４２５に非常に接近しているフレームとだけ関連している
【００３３】一実施形態では、参照スナップは、ビデオのプレイバックの一般速度とペースを合わせる所定の間隔で更新される。例えば、更新が（略）２０秒毎の間隔で生じる場合、現在のプレイバック位置に非常に接近している全ビデオデータは要約され、キーフレームは、選択され、新しいスナップは（略）この時間内にビデオプレイヤー上に再表示される。他の実施形態では、スナップの各々は、
スナップ１４４０〜１４６０のいずれかがいつでも他のキーフレームと置き換えられるように実時間および／または連続的に更新され
　　
「【００３６】ステップ５６０は、ユーザからのタイムステップ要求を行う方法を示す。ユーザは、高速検出、巻き戻しあるいは他のタイムステップ動作（ステップ５６０）を実行し、ステップ５３０、５４０、および５６０は、ビデオ（あるいは他のデータストリーム）の新しい位置に対して繰り返される。したがって、ファスト・フォワードおよび／またはファスト・リワインド・データの再表示の開始は新しいビデオ位置に従って更新した。」
　　
「【図４】
」
　　
（ア−１−２）甲第１号証に記載された発明
　甲第１号証には、ビデオデータを提供する方法が記載され、以下の構成を含む。
　　
　段落【００２８】、【００３０】によると、『再生されるビデオを表示する』。
　段落【００３０】、【００３１】、図４によると、『ビデオと共に、タイムラインを表示することであって、タイムラインは、ビデオの現在の再生位置を示すポイントのインジケータを含む』。
　【要約】、段落【００３０】によると、『現在の再生位置の移動のため、スライドバーとともに表示されるタイムラインの位置をユーザが選択する』。
　段落【００３０】〜【００３３】、【００３６】によると、『ビデオが再生されているときに、現在の再生位置の移動のため、スライドバーとともに表示されるタイムラインの位置をユーザが選択すると、スライドバー及び移動した現在の再生位置のビデオと共に、スナップ画像１４４０〜１４６０を、移動した現在の再生位置の前後のフレーム（キーフレーム）に更新して表示することであって、スナップ画像１４４０〜１４６０は、移動した現在の再生位置のビデオと表示位置及び表示サイズが異なる』。
　　
　以上より、甲第１号証には次の発明が記載されていると認められる。以下この発明を甲１発明という。
　　
（甲１発明）
（１ａ）再生されるビデオを表示し、
（１ｂ）ビデオと共に、タイムラインを表示することであって、タイムラインは、ビデオの現在の再生位置を示すポイントのインジケータを含み、
（１ｃ）現在の再生位置の移動のため、スライドバーとともに表示されるタイムラインの位置をユーザが選択し、
（１ｄ）ビデオが再生されているときに、現在の再生位置の移動のため、スライドバーとともに表示されるタイムラインの位置をユーザが選択すると、スライドバー及び移動した現在の再生位置のビデオと共に、スナップ画像１４４０〜１４６０を、移動した現在の再生位置の前後のフレーム（キーフレーム）に更新して表示することであって、スナップ画像１４４０〜１４６０は、移動した現在の再生位置のビデオと表示位置及び表示サイズが異なる、
（１ｅ）方法。
　　
（（１ａ）〜（１ｅ）は、甲１発明の構成を区別するために付与した。以下各構成を「構成１ａ」等という。）
　　
（ア−２）甲第３号証
　甲第３号証（特開２０００−１２５２６０号公報）には、「動画像伝送サーバおよび同サーバを用いた動画像伝送システム並びに動画像伝送制御方法」（発明の名称）に関し、図面と共に次に掲げる事項が記載されている（下線は当審が付与した。）。
　　
「【０００１】
【発明の属する技術分野】本発明は、
クライアント端末に動画像ファイルをストリーミング再生させる
【０００２】
【従来の技術】近年、
インターネットなどのネットワークを介して
このような動画像伝送システムにおいては、ストリーミング再生（またはストリーミング型データ転送）と称される技術が利用されている
　　
「【００６７】また、本実施形態ではネットワークとしてインターネットを想定して説明したが、本発明はこれに限定されるものではない。また、本実施形態ではクライアント端末の数を３つに、サーバの数を１つにしているが、クライアント端末の数及びサーバの数はこれに限定されるものではない。さらに、
本発明はビデオオンデマンドシステムなどの動画像伝送システムにも適用することができる
　　
　上記記載によると、甲第３号証には、『動画伝送サーバからクライアント端末へストリーミング再生による動画を配信するにあたり、ビデオオンデマンドシステムを適用する』技術が記載されている。
　　
（イ）対比・判断
（イ−１）対比
　本件発明１と甲１発明とを対比する。
　　
（イ−１−１）構成要件Ａと構成１ａとを対比する。
　甲１発明は、「再生されるビデオを表示」するから、「表示のためのビデオを生成する」ことは明らかである。
　したがって、本件発明１と甲１発明とは、「表示のためのビデオを生成する」ことで一致する。
　　
（イ−１−２）構成要件Ｂと構成１ｂとを対比する。
　甲１発明の「タイムライン」は、本件発明１の「転送バー」に相当し、甲１発明の「ビデオの現在の再生位置を示すポイントのインジケータ」は、本件発明１の「前記ビデオの現在の再生位置のインジケータ」に相当する。
　甲１発明の「タイムライン」は、「ビデオ」とともに表示される。
　したがって、本件発明１と甲２発明とは、「前記ビデオと共に表示するための転送バーを生成することであって、前記転送バーは、前記ビデオの現在の再生位置のインジケータを含む」ことで一致する。
　　
（イ−１−３）構成要件Ｃと構成１ｃとを対比する。
　甲１発明は、「現在の再生位置の移動のため、スライドバーとともに表示されるタイムラインの位置をユーザが選択」するから、「前記転送バー上の任意の時点における他の再生位置に関連付けられたユーザ入力を受信する」ことで、本件発明１と一致する。
　　
（イ−１−４）構成要件Ｄと構成１ｄとを対比する。
　甲１発明の「ビデオが再生されているときに、
現在の再生位置の移動のため、
移動した
移動した
移動した
　しかしながら、「現在の再生位置」が、本件発明１においては、「前記現在の再生位置」であって、構成要件Ｃにおけるユーザ入力を受信する際の現在の再生位置であるのに対し、甲１発明においては、「移動した」現在の再生位置である点で相違する。
　　
（イ−１−５）構成要件Ｅと構成２ｅとは、「方法」として一致する。
　　
（イ−２）判断
　上記（イ−１）のとおり、本件発明１と甲１発明とを対比すると、相違する点があり、本件発明１は、甲１発明ではない。
　特許異議申立人は、本件発明１〜７、９、１０は甲１発明であると主張しているが、上記のとおりであるから、特許異議申立人の主張は採用できない。
　特許異議申立人は、本件発明５は、甲１発明と甲第３号証に記載された発明の基づいて当業者が容易になし得たと主張するが、本件発明５は、請求項１を引用し、本件発明１と甲１発明の相違点は、甲第３号証には開示されておらず、当業者が容易になし得たものとは認められない。
　また、特許異議申立人は、本件発明８は、甲１発明と甲第５号証に記載された発明の基づいて当業者が容易になし得たと主張するが、本件発明８は、請求項１を引用し、本件発明１と甲２発明の相違点は、甲第５号証には開示されておらず、当業者が容易になし得たものとは認められない。
　本件発明１１〜２０は、本件発明１〜１０とカテゴリが異なる発明であるから、本件発明１〜１０と同様である。
　　　
（ウ）甲１発明と異なる甲第１号証に記載された発明に基づく主張について
　特許異議申立人は、異議申立書１９〜２４頁において、「甲１発明’」に基づく新規性欠如の主張をしているので、検討する。
　甲１発明’は、次のとおりである（特許異議申立書２２頁）。
　　　
（甲１発明’）
甲１Ａ：再生されるビデオを表示する。
甲１Ｂ：ビデオ４００と共に、スライドバー４１５を表示することであって、スライドバー４１５は、ビデオ４００の現在の再生位置を示すポイント４２５のインジケータを含む。
甲１Ｃ’：スナップ画像に関連する任意の位置のキーフレームを選択するため、スライドバー４１５とともに表示されるタイムラインを選択する。
甲１Ｄ’：ビデオ４００が再生されているときに、スライドバー４１５とともに表示されるタイムラインを選択すると、スライドバー４１５及び現在の再生位置のビデオ４００と共に、スナップ画像に、選択した位置のタイムラインに一致するポイントのキーフレームを選択して表示することであって、スナップ画像は、現在の再生位置のビデオ４００と表示位置及び表示サイズが異なる。
甲１Ｅ’：甲１Ａ〜甲１Ｄ’を含む方法。
　　
　構成要件甲１Ｄ’が、甲第１号証に記載されているか検討する。
　特許異議申立人は、根拠として、段落【００３０】、【００３２】、【００３５】を挙げている。
　段落【００３０】、【００３２】、【００３５】の記載は次のとおりである（下線は当審で付与した。）
　　
「【００３０】
　図４は、コマンド３２５によって呼び出され、デバイス３２０で実行するビデオアプリケーションによってディスプレイデバイス３３０に表示されたビデオのような、ビデオのプレイバック中の本発明の実施形態のスクリーンショットである。ビデオ４００は、ビデオアプリケーションによって再生されるビデオデータストリームの現在のプレイバック位置を表示する。ビデオ制御装置４１０（休止／プレイボタン）およびスライドバー４１５は、現在のプレイバック位置のユーザ制御およびユーザ移動を可能にする。他の実施形態は、ステップおよび／またはスキップバックおよびフォワードの機能、高速早送り、高速巻き戻し、開始に進む、終了に進む、次のインデックス付ポイントへジャンプする、最後のインデックス付ポイントへジャンプする、およびビデオプレイバックデバイスに関連されてもよい任意の他の種類の制御を含んでいる。
スライドバー４１５は、ビデオにおける他のポイントと一致しているビデオの近似位置を示すタイミングマークを有するタイムライン（例えば、０：００．．３３：３０）とともに表示される。代替的に、タイムラインで表示される全ビデオセグメントの代わりに、ビデオの任意の選択部はタイムラインで表示されてもよい。
「【００３２】
　
スナップ画像１４４０、１４４５、１４５０、および１４６０は、プレイバックされるビデオのそれぞれのタイムフレームで画像を示し、本発明の一実施形態によれば、スライドバー４１５の位置によって示されるように現在のプレイバック位置４２５に非常に接近しているフレームとだけ関連している。
プレイバックされるビデオのより広範囲の位置からプレイバックされるビデオのキーフレームあるいは他の関連フレームあるいは部分を選択できる。
「【００３５】
　ステップ５５０で、タイムラインが表示される。（例えば、選択フレーム、キーフレームを含む）インデックスデータは、ビデオが進む時にタイムラインに関して表示される。ステップ５３０、５４０、および５５０は、ビデオのプレイバック位置に対して参照スナップフレームの流れを保持するように繰り返される。前述されるように、現在のプレイバック位置に非常に接近しているビデオのポイントからあるいは現在のプレイバック位置、あるいは
任意の選択位置の前後の所定のポイントで選択されるスナップが選択されてもよい。
　　
　段落【００３２】の記載は、スナップ画像が、現在のプレイバック位置４２５に非常に接近したフレームだけに関連するものでなく、より広範囲の位置からプレイバックされるビデオのキーフレームを選択できることを意味している。
　また、段落【００３５】の記載は、選択フレーム、キーフレームを含むインデックスデータが、「現在のプレイバック位置に非常に接近しているビデオのポイントからあるいは現在のプレイバック位置、あるいは任意の選択位置の前後の所定のポイントで選択されるスナップが選択されてもよい」ことを意味している。
　さらに、段落【００３０】の記載は、タイムラインが全ビデオセグメントではなく、選択されたタイムラインで表示されてもよいことを意味している。
　　
　特許異議申立人は、「現在の再生位置を移動させることなく、キーフレーム（フレーム画像）を新たに選択することで、任意の位置のスナップ画像１４４０〜１４６０を新たに表示する内容」が開示されている（特許異議申立書１９頁１９〜２１行）と主張しているが、上記のとおりであって、当該内容が開示されているとは認められず、甲第１号証には、構成要件１Ｄ’が記載されているとは認められない。
　　
　したがって、甲１発明’に基づく主張は採用できない。
　　
イ　甲第２号証に記載された発明に基づく新規性、進歩性の欠如
　特許異議申立人は、本件発明１〜４、６、７、９、１０は、甲２発明であり、本件発明５は、甲２発明及び甲第４号証に記載された発明に基づいて当業者が容易になし得たものであり、本件発明８は、甲２発明及び甲第５号証に記載された発明に基づいて当業者が容易になし得たものであると主張し、さらに、本件発明１１〜２０は、本件発明１〜１０とカテゴリが異なる発明であるから、本件発明１〜１０と同様であると主張する。
　しかしながら、異議申立人の主張は採用できない。理由は以下のとおりである。
　　
　本件発明１〜３、５、８〜１０、１１〜１３、１５、１８〜２０に対して、平成２８年１１月１５日付けで通知された取消理由は、上記（２）のとおりであり、本件発明１〜３、５、８〜１０、１１〜１３、１５、１８〜２０について、異議申立人の主張が採用できない理由は、上記（４）を援用する。
　取消理由が通知されていない本件発明４、６、７、１４、１６、１７について検討する。
　本件発明４、６、７は、本件発明１を間接的に引用し、本件発明１と甲２発明とを対比すると、上記（４）アのとおり、相違点があり、一致しないから、本件発明４、６、７は甲２発明ではない。
　また、本件発明１４、１６、１７は、本件発明４、６、７とカテゴリが異なる発明であるから、本件発明４、６、７と同様である。
　　
ウ　記載不備
（ア）請求項１
　特許異議申立人は、請求項１において、現在の再生位置とは異なる再生位置に関連付けられたビデオの画像が
バッファリングすること
　しかしながら、本件発明１は、「前記ユーザ入力を受信したことに応答して、・・・前記現在の再生位置とは異なる任意の時点における前記他の再生位置に関連付けられた前記ビデオの画像を表示する」と規定しているのであって、この文言自体は明確である。そして、本件特許明細書の段落【００４２】〜【００４７】及び図６において、上記規定について説明しており、記載不備とは認められない。
　また、特許異議申立人は、請求項１において、「前記
ユーザ入力
現在の再生位置とは異なる再生位置
　しかしながら、「ユーザ入力」自体は明確であり、本件特許明細書の段落【００４３】に、ユーザの巻き戻し要求または早送り要求に対応してプレビュー画像を表示することが記載されており、記載不備とは認められない。
　　
（イ）請求項２、３
　特許異議申立人は、本件発明２、３は、本件発明１を引用し、本件発明１と同様に、明確でないと主張する（特許異議申立書８８頁）が、本件発明１が明確であることは上記（ア）のとおりであるから、本件発明２、３は明確である。
　　
（ウ）請求項４
（ウ−１）明確性（その１）
　特許異議申立人は、本件発明４は、本件発明１を引用するから、本件発明１と同様に明確でないと主張する（特許異議申立書８９頁）が、本件発明１が明確であることは上記（ア）のとおりであるから、本件発明４は明確である。
　　
（ウ−２）明確性（その２）
　特許異議申立人は、本件発明３では「現在の再生位置よりも”後”の再生位置」に限定したにもかかわらず、本件発明４では。「現在の再生位置の”前”の再生位置」を規定することから、両者の間で、現在の再生位置より「後」又は「前」という点で整合性が取れておらず、この点で本件発明４は明確でないと主張する（特許異議申立書８９頁）。
　しかしながら、本件発明４は本件特明３を引用しており、本件発明３においては「現在の再生位置よりも”後”の再生位置」について限定し、本件発明４においては「現在の再生位置の”前”の再生位置」を規定しているのであり、本件発明４は理解でき、明確でないとはいえない。
　　
（ウ−３）サポート要件・実施可能要件
　特許異議申立人は、本件発明４の「前記現在の再生位置の前に伝送される前記ビデオのコンテンツを含む巻き戻しストリーム」は、本件特許明細書の記載に対して広すぎるので、この広すぎる部分について、サポート要件（特許法第３６条第６項第１号）及び実施可能要件（特許法第３６条第４項第１号）が満たされないと主張する（特許異議申立書９０頁）。
　しかしながら、「前記現在の再生位置の前に伝送される前記ビデオのコンテンツを含む巻き戻しストリーム」は、図６の６３２にあたることは明らかであり、サポートされており、当業者が実施できる程度に記載されていると認められる。
　　
（エ）請求項５
　特許異議申立人は、本件発明５は、本件発明１を引用し、本件発明１と同様に、明確でないと主張する（特許異議申立書９２頁）が、本件発明１が明確であることは上記（ア）のとおりであるから、本件発明５は明確である。
　　
（オ）請求項６
（オ−１）明確性（その１）
　特許異議申立人は、本件発明６は、本件発明１を引用し、本件発明１と同様に、明確でないと主張する（特許異議申立書９２頁）が、本件発明１が明確であることは上記（ア）のとおりであるから、本件発明６は明確である。
　　
（オ−２）明確性（その２）
　特許異議申立人は、本件発明６は、明確でないと主張する（特許異議申立書９３頁）が、本件発明６は、請求項６の記載の文言どおりに理解でき、明確である。
　　
（カ）請求項７
（カ−１）明確性（その１）
　特許異議申立人は、本件発明７は、本件発明１を引用し、本件発明１と同様に、明確でないと主張する（特許異議申立書９４頁）が、本件発明１が明確であることは上記（ア）のとおりであるから、本件発明７は明確である。
　　
（カ−２）明確性（その２）
　特許異議申立人は、本件発明７は、明確でないと主張する（特許異議申立書９４頁）が、本件発明７は、請求項７の記載の文言どおりに理解でき、明確である。
　　
（キ）請求項８
（キ−１）明確性
　特許異議申立人は、本件発明８は、本件発明１を引用し、本件発明１と同様に、明確でないと主張する（特許異議申立書９４頁）が、本件発明１が明確であることは上記（ア）のとおりであるから、本件発明８は明確である。
　　
（キ−２）サポート要件・実施可能要件
　本件発明８は、訂正され、上記２（２）ア（オ）のとおり、本件特許明細書の段落【００４４】に記載されており、発明の詳細な説明は、当業者が本件発明８を実施できる程度に明確かつ十分に記載されていると認められる。
　　
（ク）請求項９、１０
　特許異議申立人は、本件発明９、１０は、本件発明１を引用し、本件発明１と同様に、明確でないと主張する（特許異議申立書９５〜９６頁）が、本件発明１が明確であることは上記（ア）のとおりであるから、本件発明９、１０は明確である。
　　
（ケ）請求項１１
（ケ−１）明確性（その１）
　特許異議申立人は、本件発明１１は、本件発明１とカテゴリが相違するだけであって、本件発明１と同様に、明確でないと主張する（特許異議申立書９６頁）が、本件発明１が明確であることは上記（ア）のとおりであるから、本件発明１１は明確である。
　　
（ケ−２）明確性（その２）、サポート要件・実施可能要件
　本件発明１１は、訂正され、上記２（２）イ（イ）のとおり、本件特許明細書の段落【００１８】、段落【００３５】〜【００３６】、段落【００３９】〜【００４２】および図２の記載によってサポートされており、発明の詳細な説明は、当業者が本件発明１１を実施できる程度に明確かつ十分に記載されていると認められる。
　　
（コ）請求項１２〜２０
　特許異議申立人は、本件発明１２〜２０は、いずれもシステムに係る発明であるが、内容的には上述した本件発明２〜１０と実質的に同一なので、本件発明２〜１０と同様な記載不備があると主張するが、記載不備がないのは上記のとおりであるから、特許異議申立人の主張は採用できない。。
　　　
４　むすび
　以上のとおりであるから、取消理由通知に記載した取消理由及び特許異議申立書に記載した特許異議申立理由によっては、本件請求項１〜２０に係る特許を取り消すことはできない。
　また、他に本件請求項１〜２０に係る特許を取り消すべき理由を発見しない。
　よって、結論のとおり決定する。
【異議決定日】
平成２９年３月２３日（２０１７．３．２３）
【訂正の要旨】
審決（決定）の【理由】欄参照。
（５７）【特許請求の範囲】
　【請求項１】
　表示のためのビデオを生成することと、
　前記ビデオと共に表示するための転送バーを生成することであって、前記転送バーは、前記ビデオの現在の再生位置のインジケータを含む、ことと、
　前記転送バー
上の任意の時点における他の再生位置
　前記ビデオの再生の間に前記ユーザ入力を受信したことに応答して、前記転送バーおよび前記現在の再生位置に対応する前記ビデオと共に、前記現在の再生位置とは異なる
任意の時点における前記他の
他の
　を含む、方法。
　【請求項２】
　前記ビデオの前記画像は、ビデオを含む、請求項１に記載の方法。
　【請求項３】
　前記画像に関連付けられた前記
他の
　【請求項４】
　前記現在の再生位置の前に伝送される前記ビデオのコンテンツを含む巻き戻しストリームを受信することと、
　巻き戻しバッファ内に前記受信された巻き戻しストリームをキャッシュすることと、
　表示のために、前記現在の再生位置の前の再生位置に関連付けられた巻き戻しカーソルを生成することと
　をさらに含む、請求項３に記載の方法。
　【請求項５】
　前記ビデオは、ビデオオンデマンドソースから受信される、請求項１に記載の方法。
　【請求項６】
　前記現在の再生位置の後に伝送される前記ビデオのコンテンツを含む早送りストリームを受信することと、
　早送りバッファ内に前記受信された早送りストリームをキャッシュすることと、
　表示のために、前記現在の再生位置よりも後の
前記他の
　をさらに含む、請求項３に記載の方法。
　【請求項７】
　前記早送りカーソルは、前記キャッシュされた早送りストリームの現在のフレームに関連付けられる、請求項６に記載の方法。
　【請求項８】
　ビデオストリームを受信することと、
　前記受信されたビデオストリーム内の広告を識別することと、
　
前記受信されたビデオストリーム内の前記識別された広告をキャシュしないことによって
ビデオ
ようにストリームをキャッシュする
　をさらに含む、請求項１に記載の方法。
　【請求項９】
　前記画像のユーザ選択を受信することと、
　前記ユーザ選択を受信したことに応答して、前記画像に関連付けられた前記
他の
　をさらに含む、請求項１に記載の方法。
　【請求項１０】
　前記画像のユーザ選択を受信したことに応答して、フル画面で前記画像に関連付けられた前記
他の
　【請求項１１】
　表示のためのビデオを生成する手段と、
　前記ビデオと共に表示するための転送バーを生成する手段であって、前記転送バーは、前記ビデオの現在の再生位置のインジケータを含む、手段と、
　前記転送バー
上の任意の時点における他の再生位置
　前記ビデオの再生の間に前記ユーザ入力を受信したことに応答して、前記転送バーおよび前記現在の再生位置に対応する前記ビデオと共に、前記現在の再生位置とは異なる
任意の時点における前記他の
他の
　前記ビデオの前記現在の再生位置の前記インジケータを
メモリ内に
　を含む、システム。
　【請求項１２】
　前記ビデオの前記画像は、ビデオを含む、請求項１１に記載のシステム。
　【請求項１３】
　前記画像に関連付けられた前記
他の
　【請求項１４】
　前記現在の再生位置の前に伝送される前記ビデオのコンテンツを含む巻き戻しストリームを受信する手段と、
　巻き戻しバッファ内に前記受信された巻き戻しストリームをキャッシュする手段と、
　表示のために、前記現在の再生位置の前の再生位置に関連付けられた巻き戻しカーソルを生成する手段と
　をさらに含む、請求項１３に記載のシステム。
　【請求項１５】
　前記ビデオは、ビデオオンデマンドソースから受信される、請求項１１に記載のシステム。
　【請求項１６】
　前記現在の再生位置の後に伝送される前記ビデオのコンテンツを含む早送りストリームを受信する手段と、
　早送りバッファ内に前記受信された早送りストリームをキャッシュする手段と、
　表示のために、前記現在の再生位置よりも後の
前記他の
　をさらに含む、請求項１３に記載のシステム。
　【請求項１７】
　前記早送りカーソルは、前記キャッシュされた早送りストリームの現在のフレームに関連付けられる、請求項１６に記載のシステム。
　【請求項１８】
　ビデオストリームを受信する手段と、
　前記受信されたビデオストリーム内の広告を識別する手段と、
前記受信されたビデオストリーム内の前記識別された広告をキャシュしないことによって
ビデオ
ようにストリームをキャッシュする
　をさらに含む、請求項１１に記載のシステム。
　【請求項１９】
　前記画像のユーザ選択を受信する手段と、
　前記ユーザ選択を受信したことに応答して、前記画像に関連付けられた前記
他の
　をさらに含む、請求項１１に記載のシステム。
　【請求項２０】
　前記画像のユーザ選択を受信したことに応答して、フル画面で前記画像に関連付けられた前記
他の